(57)【要約】【課題】ユーザが移動中において周囲の音が大きい環境下であっても、通話時の受話音量が聞き取りやすくなるように利便性の向上が図られた携帯端末を提供する。【解決手段】上記目的を達成する本発明の携帯端末は、ユーザの移動に伴う携帯端末自体の移動速度を検出する移動速度検出手段と、上記移動速度検出手段にて検出した移動速度に基づいて、上記無線通信手段による通話時の受話音量を制御する受話音量制御手段を備えた、ことを特徴とする。【選択図】図４
2008306242.tif 000002
【特許請求の範囲】
【請求項１】
無線通信手段を備えた携帯端末であって、
ユーザの移動に伴う携帯端末自体の移動速度を検出する移動速度検出手段と、
前記移動速度検出手段にて検出した移動速度に基づいて、前記無線通信手段による通話時の受話音量を制御する受話音量制御手段と、を備えたことを特徴とする携帯端末。
【請求項２】
前記無線通信手段による通話時における携帯端末の通信状態を監視する通信状態監視手段を更に備え、
前記受話音量制御手段は、
前記移動速度検出手段にて検出した移動速度および前記通信状態監視手段にて検出した通信状態に基づいて、前記無線通信手段による通話時の受話音量を制御する、ことを特徴とする請求項１記載の携帯端末。
【請求項３】
前記通信状態監視手段は、前記通信状態を表す通信相手からの送話音量を監視する、ことを特徴とする請求項２記載の携帯端末。
【請求項４】
前記通信状態監視手段は、前記通信状態を表す通信中における基地局との間の受信信号の通信品質を監視する、ことを特徴とする請求項２又は３記載の携帯端末。
【請求項５】
前記受話音量制御手段は、前記移動速度検出手段にて検出された移動速度が大きくなるに従って、前記受話音量を大きくする、ことを特徴とする請求項１から４のうちいずれか１項記載の携帯端末。
【請求項６】
前記受話音量制御手段は、通話相手からの前記送話音量の値が予め定めた設定値より低い場合には前記受話音量を大きくする、ことを特徴とする請求項３記載の携帯端末。
【請求項７】
前記受話音量制御手段は、通話相手からの前記送話音量の値が予め定めた設定値より大きい場合には前記受話音量を小さくする、ことを特徴とする請求項３記載の携帯端末。
【請求項８】
前記受話音量制御手段は、前記通信状態監視手段にて監視した前記受信信号の通信品質表す値が予め定めた設定値より低い場合には、設定値に応じて受話音量を大きくする、ことを特徴とする請求項４項記載の携帯端末。
【請求項９】
前記移動速度検出手段は、ＧＰＳ（Ｇｌｏｂａｌ  Ｐｏｓｉｔｉｏｎｉｎｇ  Ｓｙｓｔｅｍ）を備え、該ＧＰＳにて前記携帯端末自体の位置情報を取得して前記移動速度を算出する、ことを特徴とする請求項１から８のうちいずれか１記載の携帯端末。
【請求項１０】
無線通信手段を備えた携帯端末による通信制御方法であって、
前記携帯端末が、
ユーザの移動に伴う携帯端末自体の移動速度を検出する移動速度検出工程と、
前記移動速度検出工程にて検出した移動速度に基づいて、前記無線通信手段による通話時の受話音量を制御する受話音量制御工程と、を有することを特徴とする通信制御方法。
【請求項１１】
無線通信手段を備えた携帯端末による通信制御方法であって、
前記携帯端末が、
ユーザの移動に伴う携帯端末自体の移動速度を検出する移動速度検出工程と、
前記移動速度検出工程に前後して、前記無線通信手段による通話時における携帯端末の通信状態を監視する通信状態監視工程と、
前記移動速度検出工程にて検出した移動速度および前記通信状態監視工程にて検出した通信状態に基づいて、前記無線通信手段による通話時の受話音量を制御する受話音量制御工程と、を有することを特徴とする通信制御方法。
【請求項１２】
無線通信手段を備えた携帯端末に、
ユーザの移動に伴う携帯端末自体の移動速度を検出する移動速度検出手段と、
前記移動速度検出手段にて検出した移動速度に基づいて、前記無線通信手段による通話時の受話音量を制御する受話音量制御手段と、を実現させるためのプログラム。
【請求項１３】
無線通信手段を備えた携帯端末に、
ユーザの移動に伴う携帯端末自体の移動速度を検出する移動速度検出手段と、
前記無線通信手段による通話時における携帯端末の通信状態を監視する通信状態監視手段と、
前記移動速度検出手段にて検出した移動速度および前記通信状態監視手段にて検出した通信状態に基づいて、前記無線通信手段による通話時の受話音量を制御する受話音量制御手段と、を実現させるためのプログラム。
【発明の詳細な説明】
【技術分野】
【０００１】
本発明は、無線通信手段を備えた携帯端末に関する。
【背景技術】
【０００２】
近年、携帯電話等の携帯端末が普及するに伴い、自動車や電車などの乗り物での移動中に携帯電話を使用するケースが増えている。この場合、乗り物の走行に伴って発生する周囲の騒音が大きい条件下では、通話相手の声が聞こえづらくなる。なお、電車の移動時での使用は、例えば、電車内のデッキなどで携帯電話の通話が許可されているエリアでの使用を想定している。また、自動車の移動時での使用は、例えば、一例として、自家用車で助手席に乗っている者が携帯電話を使用する場合等を想定している。
【０００３】
上述したようなケースにおいて、通話相手の声が聞こえづらい場合、ユーザが通話中に受話音量を大きくしようとすると、携帯電話の機種によっては、メニュー画面にしたがって、キー操作をするなどして受話音量を設定し直すなど、手間がかかるという問題がある。さらに、ユーザが、乗り物で移動中に受話音量を大きくする設定にした場合、次に屋内などの静かな場所で通話を行うと、必要以上の受話音量になり不都合も生じるという問題もある。
【０００４】
そこで、携帯電話使用時における周囲の環境に応じて音量を自動的に制御する携帯電話が提案されている（例えば、特許文献１、２参照）。
【０００５】
この特許文献１に開示された技術によれば、自動車の走行速度が大きくなるにつれて、自動車自体が発生する騒音も大きくなるとして、携帯電話の受話音量を大きくする。これにより、自動車の速度が所定値以上であれば、携帯電話内部の制御装置が、自動車の騒音が大きいと判断して受話音量を大きくする。すると、ユーザは、騒音下であっても相手の音声を聞くことができる。
【０００６】
また、特許文献２に開示された技術によれば、携帯電話が、ＧＰＳ機能搭載を備え、このＧＰＳ機能により携帯電話を現在所持しているユーザの位置を判断する。そして、公共の場であると判断された場合は、携帯電話の音量を自動的に制限する。
【０００７】
【特許文献１】特開平０３−１２３１３０号公報
【特許文献２】特開２００６−２５４０１２号公報
【発明の開示】
【発明が解決しようとする課題】
【０００８】
しかしながら、特許文献１に開示された携帯電話は、自動車に備え付けられた携帯電話であって、自動車の走行速度に基づいて、受話音量を制御している。そのため、自動車以外の移動については考慮されていない。
【０００９】
また、特許文献２に開示された携帯電話では、上述した走行速度が大きい場合における受話音量の制御については特に記載されていない。
【００１０】
本発明は、上記事情に鑑み、ユーザが移動中において周囲の音が大きい環境下であっても、通話時の受話音量が聞き取りやすくなるように利便性の向上が図られた携帯端末、その携帯端末の通信制御方法、およびそのプログラムを提供することを目的とする。
【課題を解決するための手段】
【００１１】
上記目的を達成する本発明の携帯端末は、
無線通信手段を備えた携帯端末であって、
ユーザの移動に伴う携帯端末自体の移動速度を検出する移動速度検出手段と、
上記移動速度検出手段にて検出した移動速度に基づいて、上記無線通信手段による通話時の受話音量を制御する受話音量制御手段を備える。
【発明の効果】
【００１２】
本発明によれば、ユーザが移動中において周囲の音が大きい環境下であっても、上記受話音量制御手段が、上記移動速度検出手段にて検出した移動速度に基づいて受話音量を適切な音量に制御する。したがって、通話時の受話音量が聞き取りやすくなるように利便性の向上が図られた携帯端末が得られる。
【発明を実施するための最良の形態】
【００１３】
本発明の第１の形態である携帯端末は、上記移動速度検出手段が、ユーザの移動に伴う携帯端末自体の移動速度を検出する。さらに、上記受話音量制御手段が、上記移動速度検出手段にて検出した移動速度に基づいて、上記無線通信手段による通話時の受話音量を制御する。これによると、上述した通り、ユーザが移動中において周囲の音が大きい環境下であっても、上記受話音量制御手段が、上記移動速度検出手段にて検出した移動速度に基づいて受話音量を適切な音量に制御する。そのため、ユーザは、周囲が騒音下の環境であっても、受話音量のボリュームを大きくするためにキー操作をせずに済む。
【００１４】
また、本発明の第１の形態である携帯端末は、上記無線通信手段による通話時における携帯端末の通信状態を監視する通信状態監視手段を更に備え、上記受話音量制御手段は、上記移動速度検出手段にて検出した移動速度および上記通信状態監視手段にて検出した通信状態に基づいて、上記無線通信手段による通話時の受話音量を制御する、ことが好ましい。
【００１５】
上記構成によれば、上記移動速度検出手段に加えて、さらに、上記通信状態監視手段が、上記無線通信手段による通話時における携帯端末の通信状態を監視する。そして、上記受話音量制御手段は、上記移動速度検出手段にて検出した移動速度および上記通信状態監視手段にて検出した通信状態に基づいて、上記無線通信手段による通話時の受話音量を制御する。
【００１６】
これにより、上記通信状態監視手段が携帯端末の通信状態を監視した結果、通信状態が好ましくない場合には、上記受話音量制御手段は、さらに受話音量を自動的に大きくするができる。すると、ユーザは、通話相手の音声が聞き取りやすくなる。
【００１７】
また、上記通信状態監視手段は、上記通信状態を表す通信相手からの送話音量を監視する、ことが好ましい。これにより、通話相手からの送話音量が小さい場合には、上記受話音量制御手段は、携帯端末の受話音量を大きくして対処することができる。
【００１８】
また、上記通信状態監視手段は、上記通信状態を表す通信中における基地局との間の受信信号の通信品質を監視する、ことが好ましい。これにより、受信電波の感度が低く、通信中における基地局との間の受信信号の通信品質が悪い場合には、上記受話音量制御手段は、携帯端末の受話音量を大きくして対処することができる。
【００１９】
また、上記受話音量制御手段は、上記移動速度検出手段にて検出された移動速度が大きくなるに従って、上記受話音量を大きくする、ことが好ましい。これにより、乗り物の走行に伴って発生する周囲の騒音が大きい条件下であっても、ユーザは、通話相手の声が聞こえやすくなる。
【００２０】
また、上記受話音量制御手段は、通話相手からの上記送話音量の値が予め定めた設定値より低い場合には上記受話音量を大きくする、ことが好ましい。これにより、例えば、ユーザが上記設定値を予めキー操作などで設定すれば、個人差に応じて受話音量を大きくすることができる。
【００２１】
また、上記受話音量制御手段は、通話相手からの上記送話音量の値が予め定めた設定値より大きい場合には上記受話音量を小さくする、ことが好ましい。これにより、例えば、ユーザが上記設定値を予めキー操作などで設定すれば、個人差に応じて受話音量を小さくすることができる。
【００２２】
また、上記受話音量制御手段は、上記通信状態監視手段にて監視した上記受信信号の通信品質表す値が予め定めた設定値より低い場合には、設定値に応じて受話音量を大きくする、ことが好ましい。これにより、通信品質を表す値が低い値（例えば、受信電波の感度が低いことを表す）を予め設定値として設定しておけば、上記受話音量制御手段は、設定値より低い場合には、受話音量を大きくすることができる。そのため、ユーザは、受信電波の感度が低い場合であっても、キー操作することなく受話音量を大きくして通話相手の音声を聞くことができる。
【００２３】
ここで、上記移動速度検出手段は、ＧＰＳ（Ｇｌｏｂａｌ  Ｐｏｓｉｔｉｏｎｉｎｇ  Ｓｙｓｔｅｍ）を備え、そのＧＰＳにて上記携帯端末自体の位置情報を取得して上記移動速度を算出する、ことが好ましい。これにより、上記移動速度検出手段は、ＧＰＳにて上記移動速度を容易に算出することができる。
【００２４】
ここで、上記目的を達成する本発明の第１の通信制御方法は、
無線通信手段を備えた携帯端末による通信制御方法であって、
上記携帯端末が、
ユーザの移動に伴う携帯端末自体の移動速度を検出する移動速度検出工程と、
上記移動速度検出工程にて検出した移動速度に基づいて、上記無線通信手段による通話時の受話音量を制御する受話音量制御工程と、を有することを特徴とする。
【００２５】
本発明の第１の通信制御方法によれば、まず、上記移動速度検出工程にてユーザの移動に伴う携帯端末自体の移動速度を検出する。続いて、上記受話音量制御工程にて、上記移動速度に基づいて、上記無線通信手段による通話時の受話音量を制御する。
【００２６】
これにより、ユーザが移動中において周囲の音が大きい環境下であっても、通話時の受話音量が聞き取りやすくなるように利便性の向上が図られた携帯端末による通信制御方法が得られる。
【００２７】
さらに、上記目的を達成する本発明の第２の通信制御方法は、
無線通信手段を備えた携帯端末による通信制御方法であって、
上記携帯端末が、
ユーザの移動に伴う携帯端末自体の移動速度を検出する移動速度検出工程と、
上記移動速度検出工程に前後して、上記無線通信手段による通話時における携帯端末の通信状態を監視する通信状態監視工程と、
上記移動速度検出工程にて検出した移動速度および上記通信状態監視工程にて検出した通信状態に基づいて、上記無線通信手段による通話時の受話音量を制御する受話音量制御工程と、を有することを特徴とする。
【００２８】
本発明の第２の通信制御方法によれば、上記移動速度検出工程にてユーザの移動に伴う携帯端末自体の移動速度を検出する。さらに、上記移動速度検出工程に前後して、上記通信状態監視工程にて、上記無線通信手段による通話時における携帯端末の通信状態を監視する。続いて、上記受話音量制御工程にて、上記移動速度検出工程にて検出した移動速度および上記通信状態監視工程にて検出した通信状態に基づいて、上記無線通信手段による通話時の受話音量を制御する。
【００２９】
これにより、上記通信状態監視手段が携帯端末の通信状態を監視した結果、通信状態が好ましくない場合には、上記受話音量制御手段は、さらに、受話音量を自動的に大きくするができるため、ユーザが聞き取りにくくなることを防ぐことができる。したがって、ユーザが移動中において周囲の音が大きく、通信状態が好ましくない環境下であっても、通話時の受話音量が聞き取りやすくなるように利便性の向上が図られた携帯端末による通信制御方法が得られる。
【００３０】
ここで、上記目的を達成する本発明の第１のプログラムは、
無線通信手段を備えた携帯端末に、
ユーザの移動に伴う携帯端末自体の移動速度を検出する移動速度検出手段と、
上記移動速度検出手段にて検出した移動速度に基づいて、上記無線通信手段による通話時の受話音量を制御する受話音量制御手段と、を実現させる。
【００３１】
さらに、上記目的を達成する本発明の第２のプログラムは、
ユーザの移動に伴う携帯端末自体の移動速度を検出する移動速度検出手段と、
上記無線通信手段による通話時における携帯端末の通信状態を監視する通信状態監視手段と、
上記移動速度検出手段にて検出した移動速度および上記通信状態監視手段にて検出した通信状態に基づいて、上記無線通信手段による通話時の受話音量を制御する受話音量制御手段と、を実現させる。
【００３２】
以下、図面を参照して本発明の実施形態を説明する。ここでは、本発明のプログラムに基づいて動作する携帯端末、その携帯端末で実行される本発明の通信制御方法について説明する。
【００３３】
なお、以下では、本発明の携帯端末として、携帯電話を例に挙げて説明する。但し、これは一例であって、携帯電話に限られず、上記特徴を有する他の携帯端末（例えば、ＰＨＳ（Ｐｅｒｓｏｎａｌ  Ｈａｎｄｙｐｈｏｎｅ  Ｓｙｓｔｅｍ）など）であってもよい。
【実施例１】
【００３４】
[構成]
図１は、本発明の一実施形態としての携帯電話の主なブロック構成図である。この携帯電話１は、制御部２を中心として、無線部３、音声処理部４、音声入出力制御部５、メモリ９、ＧＰＳ制御部１０、表示部１１、及び操作部１２を接続して構成する。さらに、音声入出力制御部５は、マイク６、スピーカ７、レーシバ８を接続している。
【００３５】
制御部２は、中央処理装置（ＣＰＵ：Ｃｅｎｔｒａｌ  ｐｒｏｃｅｓｓｉｎｇ  Ｕｎｉｔ）であって、この携帯電話１の動作を総合的に制御するものである。制御部２の詳細については後述する。
【００３６】
無線部３には、電波を送受する送受信アンテナ３１が接続されている。この送受信アンテナ３１で受信された受信波は、無線部３で復調され、音声処理部４でデコードなどの処理がなされ、得られた受話音が音声の入出力を制御する音声入出力制御部５からスピーカ７やレシーバ８を介して出力されユーザに伝えられる。音声処理部４は、マイク６から音声入出力制御部５を介して入力された送信すべき音声のエンコード、変調等の処理を行う。
【００３７】
また、ＧＰＳ制御部１０は、無線部３を介してＧＰＳ衛星（不図示）との通信により現在位置を調べる測位機能を有している。ＧＰＳ制御部１０は、定期的に測位を行うことにより、後述する制御部２の移動速度検出部２１では、測位した位置と時刻から、ユーザの移動に伴う携帯電話の移動速度を算出する。これにより、移動速度が容易に算出することができる。
【００３８】
また、表示部１１は、液晶表示用の液晶ＬＣＤ（ＬＣＤ：Ｌｉｑｕｉｄ  ＣｒｙｓｔａｌＤｉｓｐｌａｙ）からなり、携帯電話１のメニュー等を表示するものである。操作部１２は、１から０までのテンキー、＊キー、および＃キーなどの操作キー（不図示）が設けられている。この操作部１２は、操作キーの操作を受け付けた後、制御部２に各操作キーの処理の命令を出すものである。メモリ９は、本発明の一実施形態であるプログラム等を保存するメモリである。本実施例においては、移動速度に応じた２つの受話音量パターンを設定するためのテーブルがメモリ９に記憶されている。
【００３９】
図２は、移動速度と受話音量設定との対応付けを表すテーブルである。このテーブルは、メモリ９に記憶されている。また、図３は、移動速度と受話音量設定との対応付けの一例を説明するための図である。図２に示す「通常（低速移動時）用」とは、図３(ａ)のように室内にいる時や歩いている時など移動速度が遅い（周囲が比較的静かであることが想定される）場合用の受話音量設定を表している。
【００４０】
他方、図２に示す「高速移動時用」とは、図３(ｂ)のように自動車や電車など移動速度が速い（走行に伴うノイズ等により周辺騒音が大きいことが想定される）場合用の受話音量設定である。本実施例では「通常（低速移動時）用」の音量に“＋α（正の値）”した音量を「高速移動時用」としている。また、移動速度の大きさに応じて受話音量がレベル分けされている。移動速度に応じた受話音量の設定は制御部２が行う。
【００４１】
図４は、図１に示す制御部の内部構成を示す図である。この制御部２には、メモリ９に記憶されている本発明の一実施形態であるプログラムが組み込まれることによって、移動速度検出部２１、移動速度判定部２２、および受話音量制御報部２３が構築される。
【００４２】
この移動速度検出部２１は、ＧＰＳ制御部１０が定期的に測位を行うことにより、測位した位置と時刻から、ユーザの移動に伴う携帯電話の移動速度を算出する（移動速度検出手段）。この算出結果はメモリ９に記録される。
【００４３】
移動速度判定部２２は、メモリ９に記録されている移動速度を参照し、予め定めた設定値よりも速いかあるいは遅いかの判定を行う。設定値よりも速い場合には、移動速度判定部２２は、図２に示す受話音量設定を「高速移動用」に設定する。また、設定値よりも遅い場合には、移動速度判定部２２は、図２に示す受話音量設定を「通常（低速移動時）用」に設定する。さらに、移動速度に応じて、受話音量のレベルについて、５段階のうちからいずれか１つのレベルを設定する。図２のテーブルでは、受話音量の大きさは、段階的にＡ＜Ｂ＜Ｃ＜Ｄ＜Ｅの順としており、Ｅのレベルが最も移動速度が大きい場合に相当する。
【００４４】
受話音量制御報部２３は、図１に示す音声入出力制御部５に指示を出し、移動速度判定部２２で設定された受話音量のレベルに応じてレシーバ８から受話音量を出力させる(受話音量制御手段)。なお、ユーザ設定によりスピーカ７から受話音量を出力させてもよい。
【００４５】
[動作]
次に携帯電話１の動作について説明する。
【００４６】
図５、図６は、本発明の一実施形態である携帯電話の動作の一例を表すフローチャートである。図５は、待ち受け中から通話が開始されるまでの処理を表しており、図６は、通話中から通話が終了するまでの処理を表している。
【００４７】
まず、ユーザにより携帯電話１の電源ＯＮがなされた後、待受状態に移行し、図５に示すフローチャートの処理ルーチンが開始する。次に、ＧＰＳ制御部１０は、複数回の測位を行う（ステップＳ１１）。次に、図４に示す移動速度検出部２１は、複数回の測位の結果から、移動速度を算出し、メモリ９に記録する（移動速度検出工程）。
【００４８】
続いて、移動速度判定部２２は、移動速度が設定値よりも速いか遅いかの判定を行う（ステップＳ１２）。ここで、移動速度が設定値よりも速かった場合には（ステップＳ１２：Ｙｅｓ）、移動速度判定部２２は、受話音量を「高速移動時用」に設定する（ステップＳ１３）。一方、移動速度が設定値よりも遅かった場合には（ステップＳ１２：Ｎｏ）、移動速度判定部２２は、受話音量を「通常（低速移動時）用」に設定する（ステップＳ１４）。
【００４９】
ここで、ユーザが通話を行わない場合は（ステップＳ１５：Ｎｏ）、再びステップＳ１１の処理に戻る。再度、ＧＰＳ制御部１０による測位（ステップＳ１１）から受話音量設定（ステップＳ１３、又はステップＳ１４）までの処理を行い、通話に移行するまでこの処理が繰り返される。
【００５０】
一方、ユーザが通話を行う場合は(ステップＳ１５：Ｙｅｓ)、ユーザが他の携帯電話にダイヤルするなどして通話に移行する（ステップＳ１６）。この場合、受信音量制御部２３は、図１に示す音声入出力制御部５に指示を出し、移動速度判定部２２で設定された受話音量のレベルの音量でレシーバ８から通話相手の受話音量を出力させる(受話音量制御工程)。そして、この図５に示す処理ルーチンは終了し、引き続き、図６に示す処理ルーチンに移行する。
【００５１】
まず、図６に示す処理ルーチンでは、通話中において、ＧＰＳ制御部１０は、複数回の測位を行い（ステップＳ２１）、移動速度検出部２１は、複数回の測位の結果から、移動速度を算出し、メモリ９に記録する（移動速度検出工程）。
【００５２】
続いて、移動速度判定部２２は、上述した通り、移動速度が設定値よりも速いか遅いかの判定を行う（ステップＳ２２）。ここで、移動速度が設定値よりも速かった場合には（ステップＳ２２：Ｙｅｓ）、移動速度判定部２２は、受話音量を「高速移動時用」に設定する（ステップＳ２３）。一方、移動速度が設定値よりも遅かった場合には（ステップＳ２２：Ｎｏ）、移動速度判定部２２は、受話音量を「通常（低速移動時）用」に設定する（ステップＳ２４）。
【００５３】
次に、受信音量制御部２３は、移動速度判定部２２から設定内容の通知を受けた後、図１に示す音声入出力制御部５に指示を出し、移動速度判定部２２で設定された受話音量のレベルの音量でレシーバ８から受話音量を出力させる(受話音量制御工程、ステップＳ２５)。
【００５４】
ユーザが通話を終了しない場合には（ステップＳ２６：Ｎｏ）、再度、ＧＰＳ制御部１０による測位（ステップＳ２１）、受話音量設定（ステップＳ２３、又はステップＳ２４）、受話音量制御(ステップＳ２５)の処理を行い、通話が終了するまでこの処理が繰り返される。
【００５５】
一方、ユーザが通話を終了すると（ステップＳ２６：Ｙｅｓ）、通話は終了し（ステップＳ２７）、この処理ルーチンも終了する。そして、再び、図５に示す、待受け中のフローに移行する。
【００５６】
以上より、ユーザが自動車や電車などの乗り物で移動中、移動速度が大きくなるにしたがって、例えば、乗り物が発する騒音が大きくなっても、移動速度に応じて、受話音量が大きく調節される。これにより、ユーザは、通話時の受話音量が聞き取りやすくなり、利便性が向上する。更に、ユーザが、徒歩などで移動中には、受話音量が大きく調節されることはないので、必要以上の受話音量となってしまうという不都合も生じずに済む。
【００５７】
なお、受話音量の設定については、上述した設定基準に限られるものではなく、別途変更可能である。一例を以下に述べる。
【００５８】
図７は、移動速度と受話音量設定との対応付けの一例を説明するための図である。例えば、図７に示すように、ユーザが車で時刻ｔ０から時刻ｔ１まで高速移動し、信号待ち等の理由で時刻ｔ１から時刻ｔ２までのごく短い時間（例えば３０秒程度）停止し、またすぐに高速移動するというケースがある。
【００５９】
このようなケースで通話を行っていた場合、第１の実施例では、受話音量が比較的短い時間で変化してしまうため、極めてまれではあるが、ユーザーが受話音量の変化に違和感を覚える可能性がある。そこで、移動速度検出部２１が、高速移動中に低速移動を検出した場合、移動速度判定部２２は、次の移動速度検出の結果が高速移動中であれば、受話音量を「高速移動時用」のままとする。一方、次の移動速度検出の結果が継続して低速移動であれば、移動速度判定部２２は、受話音量を「通常時（低速移動時）用」に切り替えるという制御を行うことで、ごく自然な受話音量の切り替え制御を実現してもよい。
【実施例２】
【００６０】
[構成]
次に、本発明の第２の実施例について説明する。なお、本発明の第１の実施例と本発明の第２の実施例とでは、内部構成が一部異なるが、それ以外はほぼ同様の構成を有するため、同じ要素については同じ符号を付して説明を省略し、実施例１と異なる構成について詳細に説明する。
【００６１】
本発明の第２の実施例では、通話時における携帯電話の通信状態を監視する通信状態監視部を更に備え、受話音量制御部は、上記移動速度検出部にて検出した移動速度および通信状態監視部にて検出した通信状態に基づいて、通話時の受話音量を制御する。これにより、通話相手の音声が小さい場合には、さらに受話音量を自動的に大きくすることができるため、ユーザが聞き取りにくくなることを防ぐことができる。
【００６２】
図８は、第２の実施例における制御部の内部構成を示す図である。図４に示す第１の実施例における制御部の内部構成と比較して、新たに、通信状態監視部２４、受話音量判定部２５が設けられている。
【００６３】
通信状態監視部２４は、図１に示す無線部３で通信相手の電波を受信した後、通信相手からの送話音量を表す音声信号の出力を検出して、メモリ９に音声信号の出力の値を記録していく（通信状態監視手段）。また、受話音量判定部２５は、メモリ９に記録された音声信号の出力の値が予め定めた設定値よりも大きいか、小さいかを判定する。
【００６４】
図９は、予め定められた設定値に対する受話音量のレベルの対応付けを表すテーブルである。移動速度と受話音量設定との対応付けを表すテーブル（図２）と同様、図１に示すメモリ９に記憶されている。また、受話音量判定部２５は、メモリ９に記録された音声信号の出力の値が予め定めた設定値（下限）より小さい場合には、音声信号の出力に応じてレベル１（Ａ）、レベル２（Ｂ）、レベル３（Ｃ）の設定を受話音量制御部２３に通知する。
【００６５】
さらに、受話音量判定部２５は、メモリ９に記録された音声信号の出力の値が予め定めた設定値（上限）より大きい場合には、音声信号の出力に応じてレベル１（―Ａ）、レベル２（―Ｂ）、レベル３（―Ｃ）の設定を受話音量制御部２３に通知する。例えば、Ａは、受話音量のボリュームのレベルを１段階上げることを表しており、同様に、Ｂは２段階、Ｃは３段階上げることを表している。また、−Ａは、受話音量のボリュームのレベルを１段階下げることを表しており、同様に、―Ｂは２段階、―Ｃは３段階下げることを表している。受話音量制御部２３は、レベルに応じて、音声入出力制御部４に指示を出して、受話音量を調節する（受話音量制御手段）。
【００６６】
次に、この第２の実施例における携帯電話の動作について説明する。
【００６７】
[動作]
図１０は、第２の実施例における携帯電話の動作の一例を表すフローチャートである。なお、待ち受け状態から通話に移行する処理ルーチンは、図５に示したフローチャートと同様であるので説明は省略する。
【００６８】
この第２の実施例では、図５に示した処理ルーチンの終了を受けて、図９に示す処理ルーチンを開始する。まず、通話中において、通信状態監視部２４は、通信相手からの送話音量を表す音声信号の出力を検出して、メモリ９に音声信号の出力の値を記録していく（通信状態監視工程、ステップＳ３１）。続いて、ＧＰＳ制御部１０は、複数回の測位を行い（ステップＳ３２）、移動速度検出部２１は、複数回の測位の結果から、移動速度を算出し、メモリ９に記録する（移動速度検出工程）。
【００６９】
続いて、移動速度判定部２２は、上述した通り、移動速度が設定値よりも速いか遅いかの判定を行う（ステップＳ３３）。ここで、移動速度が設定値よりも速かった場合には（ステップＳ３３：Ｙｅｓ）、移動速度判定部２２は、受話音量を「高速移動時用」に設定する（ステップＳ３４）。
【００７０】
一方、移動速度が設定値よりも遅かった場合には（ステップＳ３３：Ｎｏ）、移動速度判定部２２は、受話音量を「通常（低速移動時）用」に設定する（ステップＳ３５）。受信音量制御部２３では、移動速度判定部２２から設定内容の通知を受けた後、図１に示す音声入出力制御部５に指示を出し、移動速度判定部２２で設定された受話音量のレベルの音量でレシーバ８から受話音量を出力させる(受話音量制御工程、ステップＳ３６)。
【００７１】
次に、受話音量判定部２５は、メモリ９に記録された音声信号の出力の値が予め定めた設定値よりも大きいか、小さいかを判定する（ステップＳ３７）。音声信号の出力値が予め定めた設定値（下限）よりも小さい場合には（ステップＳ３７：Ｙｅｓ）、受話音量判定部２５は、予め定められた設定値に対する受話音量のレベルの対応付けを表すテーブル（図９）を参照して、音声信号の出力の値に応じて、Ａ、Ｂ、Ｃいずれかの値を受信音量制御部２３に通知する。
【００７２】
次に、受信音量制御部２３では、移動速度判定部２２から設定内容の通知を受けた後、図１に示す音声入出力制御部５に指示を出し、受話音量判定部２５で設定された受話音量のレベルに基づいて、受話音量のボリュームを大きくする（受信音量制御工程、ステップＳ３８）。
【００７３】
また、音声信号の出力値が予め定めた設定値（下限）よりも大きく（ステップＳ３７：Ｎｏ）、かつ音声信号の出力値が予め定めた設定値（上限）よりも大きい場合には（ステップＳ３９：Ｙｅｓ）、受話音量判定部２５は、図９に示すテーブルを参照して、音声信号の出力の値に応じて、―Ａ、―Ｂ、―Ｃいずれかの値を受信音量制御部２３に通知する。この場合、受信音量制御部２３では、移動速度判定部２２から設定内容の通知を受けた後、図１に示す音声入出力制御部５に指示を出し、受話音量判定部２５で設定された受話音量のレベルに基づいて、受話音量のボリュームを小さくする（受信音量制御工程、ステップＳ４０）。また、設定値（上限）よりも音声信号の出力値が小さい場合には（ステップＳ３９：Ｎｏ）、受話音量の調節は行わない。
【００７４】
続いて、ユーザが通話を終了しない場合には（ステップＳ４１：Ｎｏ）、再度、通話状況監視（ステップＳ２１）の処理に戻る。一方、ユーザが通話を終了すると（ステップＳ４１：Ｙｅｓ）、通話は終了し（ステップＳ４２）、この処理ルーチンも終了する。そして、再び、図４に示す、待受け中のフローに移行する。
【００７５】
以上より、ユーザが自動車や電車などの乗り物で移動中、移動速度が大きくなるにしたがって、例えば、乗り物が発する騒音が大きくなっても、移動速度に応じて、受話音量が大きく調節される。
【００７６】
本実施例では、さらに、通信状態監視部２４が通話相手の音声信号を監視することにより、通話相手の音声が設定値よりも小さい場合には、受話音量のボリュームは自動的に大きく設定され、また、通話相手の音声が設定値よりも大きい場合には、受話音量ボリュームは自動的に小さく設定される。
【００７７】
これにより、乗り物によっては、速度が大きくなっても騒音がそれほど大きくならない場合、通話相手の音声が小さくても、受話音量が大きく調節されるので、聞き取りにくくなる状況が回避される。また、通話相手の音声が大きすぎる場合には、受話音量が小さく調節されるので、適切な音量で通話することができる。
【実施例３】
【００７８】
[構成]
次に、本発明の第３の実施例について説明する。なお、本発明の第２の実施例と本発明の第３の実施例とでは、内部構成が一部異なるが、それ以外はほぼ同様の構成を有するため、同じ要素については同じ符号を付して説明を省略し、実施例２と異なる構成について詳細に説明する。
【００７９】
本発明の第３の実施例では、通信状態監視部が通信中における基地局との間の受信信号の通信品質を監視する。これにより、受信電波の感度が低く、通信中における基地局との間の受信信号の通信品質が悪い場合には、受話音量制御部は、携帯電話の受話音量を大きくして対処することができる。これにより、ユーザは、通話相手の音声が聞きとりやすくなる。
【００８０】
[動作]
次に携帯電話１の動作について説明する。
【００８１】
図１１は、第３の実施例における携帯電話の動作の一例を表すフローチャートである。なお、待ち受け状態から通話に移行する処理ルーチンは、図５に示したフローチャートと同様であるので説明を省略する。
【００８２】
第３の実施例では、図５に示した処理ルーチンの終了を受けて、図１１に示す処理ルーチンが開始される。図８に示す通信状態監視部２４は、通信中における基地局との間の受信信号の通信品質を監視し、その通信品質を表す値をメモリ９に記録する（ステップＳ５１）。続いて、図１０に示した処理ルーチン同様、ＧＰＳによる測位（ステップＳ５２）、移動速度の判定（ステップＳ５３）、受話音量の設定（ステップＳ５４、又はステップＳ５５）、受話音量制御部２３により受話音量が調節される（ステップＳ５６）。
【００８３】
次に、受話音量判定部２５は、メモリ９を参照して現在の通信品質を表す値から受信信号の通信品質の良否を判定する。そして、通信品質が不良の場合には（ステップＳ５７：Ｙｅｓ）、その旨を図７に示す受話音量制御部２３に通知し、図１に示す音声入出力制御部５に指示を出し、受話音量のボリュームを大きくする（受信音量制御工程、ステップＳ５８）。通信品質が良好の場合には（ステップＳ５７：Ｎｏ）、受話音量制御部２３は、受話音量の調節は行わない。続いて、ユーザが通話を終了しない場合には（ステップＳ５９：Ｎｏ）、再度、通話状況監視（ステップＳ５１）の処理に戻る。
【００８４】
一方、ユーザが通話を終了すると（ステップＳ５９：Ｙｅｓ）、通話は終了し（ステップＳ６０）、この処理ルーチンも終了する。そして、再び、図５に示す、待受け中のフローに移行する。
【００８５】
以上より、ユーザが自動車や電車などの乗り物で移動中、移動速度が大きくなるにしたがって、例えば、乗り物が発する騒音が大きくなっても、移動速度に応じて、受話音量が大きく調節される。
【００８６】
本実施例では、さらに、通信状態監視部２４が通信中における基地局との間の受信信号の通信品質を監視する。これにより、通信状態における受信信号の通信品質が不良の場合には、受話音量のボリュームは自動的に大きく設定されるので、通話相手の音声が聞き取りやすくなる。
【００８７】
なお、上記実施例に加えて、同様の問題の解決に対して、メモリ９に地図情報を持つことで実現してもよい。この場合、ＧＰＳ制御部１０の測位から得た位置情報取得を、メモリ９にある地図情報と照合することで、ユーザーが自動車に乗っていることや電車に乗っていること、あるいは家にいることなどがある程度判別できる。従って、位置情報に従って受話音量を設定することができるため、例えば電車に乗っているときには常時「高速移動時用」の受話音量に設定されるので、ユーザは、移動速度による受話音量変化は発生せずに通話をすることができる。
【産業上の利用可能性】
【００８８】
本発明は、携帯端末に利用することができ、産業上の利用可能性を有する。
【図面の簡単な説明】
【００８９】
【図１】本発明の一実施形態としての携帯電話の主なブロック構成図である。
【図２】移動速度と受話音量設定との対応付けを表すテーブルである。
【図３】移動速度と受話音量設定との対応付けの一例を説明するための図である。
【図４】図１に示す制御部の内部構成を示す図である。
【図５】本発明の一実施形態である携帯電話の動作の一例を表すフローチャートである。
【図６】本発明の一実施形態である携帯電話の動作の一例を表すフローチャートである。
【図７】移動速度と受話音量設定との対応付けの一例を説明するための図である。
【図８】第２の実施例における制御部の内部構成を示す図である。
【図９】予め定められた設定値に対する受話音量のレベルの対応付けを表すテーブルである。
【図１０】第２の実施例における携帯電話の動作の一例を表すフローチャートである。
【図１１】第３の実施例における携帯電話の動作の一例を表すフローチャートである。
【符号の説明】
【００９０】
１  携帯電話
２  制御部
３  無線部
４  音声処理部
５  音声入出力制御部
６  マイク
７  スピーカ
８  レシーバ
９  メモリ
１０  ＧＰＳ制御部
１１  表示部
１２  操作部
２１  移動速度検出部
２２  移動速度判定部
２３  受話音量制御報部
２４  通信状態監視部
２５  受話音量判定部
３１  送受信アンテナ
【図１】
2008306242.tif 000003
【図２】
2008306242.tif 000004
【図３】
2008306242.tif 000005
【図４】
2008306242.tif 000006
【図５】
2008306242.tif 000007
【図６】
2008306242.tif 000008
【図７】
2008306242.tif 000009
【図８】
2008306242.tif 000010
【図９】
2008306242.tif 000011
【図１０】
2008306242.tif 000012
【図１１】
2008306242.tif 000013